(57)【特許請求の範囲】
【請求項１】
塔状物を含む鋼構造物の主柱間に、鋼管を用いたブレース材が補強として接続される鋼構造物であって、該ブレース材の管端に固定して設けられる連結材は、前記主柱のガセットプレートとボルトナットにより接続されてなる形式の鋼構造物において、  上記ブレース材の管端の連結材を除く開口部分を密閉すべく、該開口部分の形状に対応した剛性の蓋体にて該開口部分を被蔽すると共に、上記連結材と、ガセットプレートを接続したボルト頭部またはナットに、メガネ状に組合された押え金具を被冠して取付け、該押え金具を介して、  または上記連結材と、ガセットプレートを接続したボルト頭部またはナットを、２個でリング状に挟持する押え金具を取付け、該押え金具を介して、  あるいは上記連結材と、ガセットプレートを接続したボルト頭部またはナットに、カムリングを被冠させ、該カムリングを介して、  前記開口部分の形状に対応した前記蓋体を押圧固定したことを特徴とする鋼管を用いたブレース材の管端密閉装置。
【発明の詳細な説明】
【０００１】
【発明の属する技術分野】
この発明は、塔状物を含む鋼構造物の主柱間に補強して接続される、鋼管を用いたブレース材（腹材）の管端の開口部分を密閉する蓋体の取付固定に関する提案である。
【０００２】
【発明が解決しようとする課題】
鋼構造物を補強する鋼管を用いたブレース材は、管端の開口部にその直径方向に割込み挿入された板状の連結材が、溶接等の手段により固着されてなる構造が一般的であり、該連結材は上記鋼構造物の主柱に設けられたガセットプレートとボルトナットにより緊締固設されている。この場合ブレース材の管端は、上記連結材の挿入部分を除き開口して、外気、その他に対して無防備な状態で建立されており、従って管内の劣化を促し当該鋼構造物の耐用命数を短縮するおそれがある。  本発明は、上記ブレース材の開口部分を密閉する手段についての改良を課題としてなされたものである。
【０００３】
鋼構造物の構成の一例として図５に塔状物の側面を示すが、主柱間に補強して各様のブレース材が、管端に設けられた連結材と主柱のガセットプレートがボルトナットにより接続されている。  ブレース材の管端は連結材が設けられるが、この部分を除いて開口部分が存在している。過去において、ブレース材の開口部より鳥類が侵入営巣して管内が汚染されることや、鳥の巣を狙う蛇等が登はんするなど不都合があり、上記開口部を塞ぐ技術が提案されて来た（例えば実公昭５６−３８１１９号、実開昭５６−７５３９０号に開示された技術）。
【０００４】
上記に開示された技術は鳥類の管内への侵入防止について一定の効果はあったが、間隙が残り強風時には風音が生じ、また雨水や砂塵の侵入を許容して管内に施した防錆層を侵蝕劣化させるおそれがあり、その後管端部分をすべて塞ぐ技術の提案が続いてなされ、更に管内外を水密的に遮断して密閉する管端の密閉装置が提案されて来た。  本発明は前記鋼構造物のブレース材の管端を水密的に密閉する技術に属しての改良に係るものである。
【０００５】
【課題を解決するための手段】
本発明は、塔状物を含む鋼構造物の主柱間に補強して接続される鋼管を用いたブレース材、該ブレース材の管端に固定して設けられる連結材は、上記主柱のガセットプレートとボルトナットにより接続されてなり、この形式の鋼構造物において、上記ブレース材の管端の連結材を除く開口部分を密閉すべく、該開口部分の形状に対応した剛性の蓋体にて該開口部分を被敝し、更に上記連結材と、ガセットプレートを接続したボルト頭部またはナットに押え金具を取付け、該押え金具を介して上記蓋体を押圧固定して、その解決するための手段とするものである。
【０００６】
【実施例】
本発明が適用されるべき塔状物を図５に例示すると、主柱材１のガセットプレート１′に各様のブレース材２（中継材１′′を介する構成もある）が連結材２１により接続されている。  図１はブレース材２の管端に設けられる密閉装置を分解して示す説明図で、図２にその装填状態（ガセットプレート１′の図示省略）を斜視して示すものである。  蓋体１０は、ブレース材２の開口部分の形状に対応して半月形状であり周縁部にはラビリンス１１が管端に嵌合すべく溝状に形成されており、該蓋体１０の内側にはパッキン材１２及びシーリング材１３が内装されている。  押え金具１４、１４′はメガネ状に組合され、ガセットプレート１′と連結材２１を接続して緊締されているボルト２２′の頭部、またはナット２２に被冠してビス１５により取付けられ、更に押圧ビス１６により補助板１７を介して上記蓋体１０を管端に押圧固定して装填される（図２）。
【０００７】
上記構成の密閉装置のブレース材２への固定状態を図３に、要部を断面して示す。  蓋体１０、補助板１７は剛性であるが、パッキン材１２はゴム等の弾性体であり、シーリング材１３は非乾性で加圧により流動変形するが、押圧を解除してもその形状を持続する材質のものを用いてある。蓋体１０を管端に当てがい押え金具１４、１４′をナット２２（またはボルト２２′の頭部）にビス１５により取付け、補助板１７を介して押圧ビス１６が該蓋体１０を押圧固定するが、このとき押圧ビス１６の先端は補助板１７の凹部１７′の存在により位置が安定して補助板を強圧し、押え金具１４、１４′の若干のバネ性も協力して蓋体１０に内装されたシーリング材１３を、細隙にまで侵入させ蓋体１０を確と押圧固定し管端を水密的に密閉する。なお管端の連結材２１を挟む向側および他端側の管端も、当然ながら同様手順により密閉装置は装填される。
【０００８】
図４に示す他例は管端付近にボルトナット２２、２２′が１個であるときの密閉装置の装填状態の斜視図であり、蓋体１０および内装材は前記に同じであるが、押え金具３０、３０′は２個でリング状にナット２２（またはボルト２２′の頭部）を狭持してタブ部分の押圧ビス３１、３１′により取付けられ、該押圧ビス３１、３１′の先端は更に補助板３２を介して蓋体１０を押圧固定する。
図６に示す密閉装置は、前記図２に示した押え金具１４、１４′に替えてカムリング３３を押え金具として用いたもので、この場合ナット２２（またはボルト２２′の頭部）に該カムリング３３を被冠させ、周面の穿孔３４を掛りとして工具により時計方向に回動し、蓋体１０を直接的に押圧固定して装填がなされる。
【０００９】
【発明の効果】
本発明の密閉装置は、上述した構成により既設の鋼構造物にあっても、ガセットプレートと連結材を接続して緊締されているボルトナットを一旦外すことも、緩めることもなく即に装填が可能であり、特に上記ボルトナットの遊休部分を利用した小嵩な構成は、より作業性、経済性を高くしてまたブレース材の管内の再点検に際しても容易に取外しがなされ、再装填も可能であり、本発明の採用の結果として鋼構造物に接続されるブレース材の管内防錆層を保護して、当該構造物の耐用命数を長寿なものとする有益な効果を有するものである。
【図面の簡単な説明】
【図１】説明図。密閉装置を分解して示す図面。
【図２】斜視図。同装置を管端開口部に装填した状態を示す図面。
【図３】側面図。同装置の装填完了状態を要部を断面して側面を示す図面。
【図４】斜視図。同装置の他例を示す図面。
【図５】説明図。各様のブレース材を例示する鋼構造物を説明する図面。
【図６】斜視図。密閉装置の押え金具の他例を示す図面。
【符号の説明】
１．‥‥‥‥主  柱
１０．‥‥‥‥蓋  体
１２．‥‥‥‥パッキング材
１３．‥‥‥‥シーリング材
１４、１４′．‥‥‥‥押え金具
１６．‥‥‥‥押圧ビス
１７．‥‥‥‥補助板
２．‥‥‥‥ブレース材
２１．‥‥‥‥連結材
２２、２２′．‥‥‥‥ボルトナット
３０、３０′．‥‥‥‥押え金具
３１，３１′．‥‥‥‥押圧ビス
３２．‥‥‥‥補助板
３３．‥‥‥‥カムリング
【図１】
0004288447.tif 000002
【図２】
0004288447.tif 000003
【図３】
0004288447.tif 000004
【図４】
0004288447.tif 000005
【図５】
0004288447.tif 000006
【図６】
0004288447.tif 000007